(57)【特許請求の範囲】
【請求項１】
端子収容室にオス端子が収容されたオスハウジングと、端子収容室にメス端子が収容されたメスハウジングと、を備え、かつ、前記メスハウジングにガタ規制溝を設け、前記ガタ規制溝に入り込むガタ規制リブを前記オスハウジングに設けて前記両ハウジング間の上下のガタを規制して成るガタ規制コネクタであって、
前記ガタ規制溝上に追加突起を前記ガタ規制リブと当接する高さに設け、これにより、前記メスハウジングの前面に設けられたオス端子拾い面が前記オス端子の先端を有効にオス端子先端挿入口へと導くことを特徴とする嵌合時のガタ規制コネクタ。
【請求項２】
前記オス端子と前記メス端子が接触を開始する段階で前記追加突起が入り込むための逃げ溝を前記ガタ規制リブ上に設け、これにより両ハウジングの嵌合が完了するまで両者間の摩擦抵抗を低減し維持することを特徴とする請求項１記載の嵌合時のガタ規制コネクタ。
【発明の詳細な説明】
【技術分野】
【０００１】
本発明は、嵌合時のガタ規制コネクタに関するもので、特に、オス端子先端がメスハウジングの端子拾い面と合うまでガタ規制をしかつその後はコネクタ挿入力が増加することを抑制したガタ規制コネクタに関する。
【背景技術】
【０００２】
樹脂成形で作られるコネクタでは、製品の公差や成型時のソリ等に対応するためにオスメス間の隙間を大きめに設定してある。この隙間に起因する嵌合時のガタつき防止を目的として、ボスを設ける構造や、リブを設ける構造によってガタ詰めを行っている。
このような従来のコネクタとしては、特許文献１記載のものが知られている。
【先行技術文献】
【特許文献】
【０００３】
【特許文献１】特開平９−３０６５９２号公報
【発明の概要】
【発明が解決しようとする課題】
【０００４】
〈従来装置の問題点〉
オスメスコネクタ間のガタつきを抑える必要があるのは、オス端子の先端部がメスハウジング嵌合面のテーパー部で拾われるときである。しかし、端子先端部が拾われるのは、コネクタ挿入過程の初期〜中間であるため、従来技術により規制した場合、金型の抜きテーパーによって奥側ほどラップ量が増え、コネクタ挿入力が高くなってしまう問題点があった。そこで逆に、挿入力を抑えようとした場合には、コネクタ間のガタつきを規制できずに、端子どつきによる端子曲がりが発生した。
【０００５】
〈本発明の目的〉
本発明は上記欠点を解決するためになされたもので、コネクタ挿入力が増加することを抑制しつつ、かつ嵌合時のガタを規制することのできるコネクタを提供することを目的としている。
【課題を解決するための手段】
【０００６】
本発明は上記課題を解決するためになされたもので、本願の第１発明は、端子収容室にオス端子が収容されたオスハウジングと、端子収容室にメス端子が収容されたメスハウジングと、を備え、かつ、前記メスハウジングにガタ規制溝を設け、前記ガタ規制溝に入り込むガタ規制リブを前記オスハウジングに設けて前記両ハウジング間の上下のガタを規制して成るガタ規制コネクタであって、前記ガタ規制溝上に追加突起を前記ガタ規制リブと当接する高さに設け、これにより、前記メスハウジングの前面に設けられたオス端子拾い面が前記オス端子の先端を有効にオス端子先端挿入口へと導くことを特徴としている。
【０００７】
また、第２発明は、第１発明の嵌合時のガタ規制コネクタにおいて、前記オス端子と前記メス端子が接触を開始する段階で前記追加突起が入り込むための逃げ溝を前記ガタ規制リブ上に設けたことにより、両ハウジングの嵌合が完了するまで両者間の摩擦抵抗を低減し維持することを特徴としている。
【発明の効果】
【０００８】
第１発明によれば、ガタ規制溝上に追加突起を前記ガタ規制リブと当接する高さに設けたので、メスハウジングの前面に設けられたオス端子拾い面がオス端子の先端を有効にオス端子先端挿入口へと導くことができ、嵌合時のガタを規制した操作し易いコネクタが得られる。
【０００９】
第２発明によれば、オス端子とメス端子が接触を開始する段階で追加突起が入り込むための逃げ溝をガタ規制リブ上に設けたので、両ハウジングの嵌合が完了するまで両者間の摩擦抵抗を低減し維持することができ、したがって嵌合時のガタを規制することができしかもコネクタ挿入力が増加することを抑制したコネクタが得られる。
【図面の簡単な説明】
【００１０】
【図１】図１は本発明に係る嵌合時のガタ規制コネクタの斜視図で、（Ａ）はオスハウジングとオス端子の斜視図、（Ｂ）はメスハウジングとメス端子の斜視図である。
【図２】図２はオスハウジングとメスハウジングの嵌合直前を示す図で、（Ａ）は正面図、（Ｂ）は（Ａ）のＡ−Ａ矢視図である。
【図３】図３はオスハウジングとメスハウジングの嵌合後を示す図で、（Ａ）は正面図、（Ｂ）は（Ａ）のＢ−Ｂ矢視図である。
【発明を実施するための形態】
【００１１】
両ハウジングの嵌合時のガタを規制して両者の嵌合をし易くすると共に、嵌合が完了するまで両者間の摩擦抵抗を低減してコネクタ挿入力が増加することを抑制できる本発明に係るコネクタについて、図１〜図３を用いて説明する。
【００１２】
〈本発明に係る嵌合時のガタ規制コネクタの構成〉
図１において、本発明に係る嵌合時のガタ規制コネクタは、オスハウジング１０およびオス端子１０Ｔと、メスハウジング２０およびメス端子２０Ｔと、から成っている。そこでこれらについて、以下に説明する。
【００１３】
〈オスハウジング１０〉
オスハウジング１０は、従来製品と同じく端子収容室１０Ｈがあり、オスハウジングフード１０Ｃの内側にガタ規制リブ１０Ａが挿入方向に延びており、このガタ規制リブ１０Ａ上に本発明に係る逃げ溝１０Ｂが設けられている。
【００１４】
《ガタ規制リブ１０Ａ》
ガタ規制リブ１０Ａは、オスハウジングフード１０Ｃの左右の内側にそれぞれ内壁面から突出した形状（図では断面矩形状）をしており、それが挿入方向に延びている。このガタ規制リブ１０Ａにメスハウジング２０のガタ規制溝２０Ａが入り込んで、両者間の上下のガタが規制される。
【００１５】
《逃げ溝１０Ｂ》
逃げ溝１０Ｂは、ガタ規制リブ１０Ａの上の奥側にガタ規制リブ１０Ａを下方に若干抉（えぐ）るように設けられた溝である。逃げ溝１０Ｂの開始位置は、オス端子１０Ｔとメス端子２０Ｔが接触を開始する段階で、メスハウジング２０の追加突起２０Ｂ（後述）が存在しているガタ規制溝２０Ａの位置で始まり、嵌合が完了したときの追加突起２０Ｂが存在しているガタ規制溝２０Ａの位置で終わる。逃げ溝１０Ｂの深さは、メスハウジング２０の追加突起２０Ｂが入りこんで、オスメスハウジング間の摩擦抵抗が低減できる深さであればよい。
【００１６】
〈メスハウジング２０〉
メスハウジング２０は、従来製品と同じく端子収容室２０Ｈがあり、端子収容室２０Ｈの前面（オスハウジングとの嵌合側）にオス端子先端挿入口２０Ｍを設け、オス端子先端挿入口２０Ｍの壁面厚みにオス端子先端が入り易くするロート状のオス端子拾い面２０Ｇが形成されている。メスハウジング２０の外側のオスハウジング１０のガタ規制リブ１０Ａと対向する部位にガタ規制溝２０Ａが長さ方向に設けられている。そして、さらに本発明により、追加突起２０Ｂがガタ規制溝２０Ａに設けられている。
【００１７】
《ガタ規制溝２０Ａ》
ガタ規制溝２０Ａは、メスハウジング２０の外側のオスハウジング１０のガタ規制リブ１０Ａを収容するための溝で、ガタ規制リブ１０Ａと対向する部位に長さ方向に形成されている。メスハウジング２０のガタ規制溝２０Ａにオスハウジング１０のガタ規制リブ１０Ａが入り込むことで、両者間の上下のガタが規制される。
【００１８】
《追加突起２０Ｂ》
追加突起２０Ｂは、ガタ規制溝２０Ａの上下どちらかに（図では上側に）ガタ規制リブ１０Ａに向けて設けられた突起である。追加突起２０Ｂの高さは、オスハウジング１０のガタ規制リブ１０Ａと隙間なく常に当接するような高さに設定されている。
【００１９】
〈本発明に係る発明の２つの作用〉
本発明に係る発明は次ぎに述べる２つの作用をすることが特徴である。
（１）オス端子とメス端子の接触前では、オス端子先端を有効に挿入する作用をし、
（２）オス端子とメス端子の接触後は、挿入抵抗の増加を回避する作用をしている。
【００２０】
《オス端子とメス端子の接触前：オス端子先端を有効に挿入》
端子収容室１０Ｈにオス端子１０Ｔが収容されたオスハウジング１０と、端子収容室２０Ｈにメス端子２０Ｔが収容されたメスハウジング２０を嵌合しようとするとき、まずメスハウジング２０に設けられたガタ規制溝２０Ａと、オスハウジング１０に設けられたガタ規制リブ１０Ａにより、オスメスハウジング間の上下のガタが規制される。ここで、メスハウジング２０のガタ規制溝２０Ａ上に設けられた追加突起２０Ｂは、図２（Ｂ）の拡大図のように、オスハウジング１０のガタ規制リブ１０Ａと隙間なく常に当接する高さに設定されているので、オスメスハウジング間には上下のガタが無い状態で嵌合が進められる。これにより、メスハウジング２０の前面に設けられたオス端子拾い面２０Ｇはオス端子先端を有効にオス端子先端挿入口２０Ｍへと導くことができる（図２（Ｂ）拡大図参照）。
【００２１】
《オス端子とメス端子の接触後：挿入抵抗の増加を回避》
嵌合が進み、オス端子１０Ｔとメス端子２０Ｔが接触を開始する段階では、追加突起２０Ｂは、図３（Ｂ）の拡大図のように、オスハウジング１０のガタ規制リブ１０Ａ上に設けられた逃げ溝１０Ｂに入るため、オスメスハウジング間の摩擦抵抗を低減し、この状態をオスメスハウジングの嵌合が完了するまで維持する。
オスメスハウジング間のガタつきを、ガタ規制リブ１０Ａと追加突起２０Ｂ（図２（Ｂ）拡大図）により規制するが、その際にはオスメスハウジング間の摩擦で挿入抵抗が増加する。しかし、オスメス端子が接触することで端子により挿入抵抗が増加するタイミングでは、追加突起２０Ｂが逃げ溝１０Ｂ（図３（Ｂ）拡大図）に入ることでオスメスハウジング間の摩擦を低減するので、オスメスハウジング間のガタを効果的に規制しながら、全体での挿入抵抗の増加を回避する。
【００２２】
〈本発明に係る発明の効果〉
以上のように、本発明によれば、オスメスハウジング間のガタつきを効果的に規制しながら、挿入抵抗の増加を回避することができる。
さらに、嵌合作業の後半では、オスメスハウジング間の摩擦抵抗が低減しているため、作業者がロック機構の作動を節度よく感じることができる。
そして、オスメスハウジング間のガタが従来技術よりも規制されるため、端子のベンドアップ・ダウン（圧着時に端子が上向きまたは下向きに変形すること。これが起きると端子先端の振れ量が増えてしまう。）の許容量が増え、ハーネス製造工程の不良を低減できる。
【００２３】
また、嵌合作業の前半では、常にオスメスハウジング間で当接する追加突起２０Ｂ（図２（Ｂ）拡大図）によってオスメスハウジング間のガタつきを効果的に規制し、メスハウジング２０の前面にオス端子拾い面２０Ｇ（図２（Ｂ）拡大図）を広く取れない構造であっても有効に端子拾いを実現できるようになった。
嵌合作業の後半では、オスメス端子の接触するタイミングに合わせて設定された逃げ溝１０Ｂ（図２（Ｂ）拡大図）により、追加突起２０Ｂ（図２（Ｂ）拡大図）の当接は解除され、オスメスハウジング間の摩擦抵抗を低減することで、全体の挿入抵抗増加を回避することができる。
【００２４】
〈変形例〉
図１〜図３では、ガタ規制リブ１０Ａおよびガタ規制溝２０Ａ上に逃げ溝１０Ｂ、さらに追加突起２０Ｂを設けた構造としているが、本発明はこの構造に限らず、例えば、メスハウジング２０の外周に追加突起とオスハウジングフード内周に逃げ溝を設けた構造、あるいはその逆にも適用できる。
また、ガタ規制の方向も上下のみならず左右のガタに対しても適用できる。
【符号の説明】
【００２５】
１０  オスハウジング
１０Ａ  ガタ規制リブ
１０Ｂ  逃げ溝
１０Ｃ  オスハウジングフード
１０Ｈ  端子収容室
１０Ｔ  オス端子
２０  メスハウジング
２０Ａ  ガタ規制溝
２０Ｂ  追加突起
２０Ｇ  オス端子拾い面
２０Ｈ  端子収容室
２０Ｍ  オス端子先端挿入口
２０Ｔ  メス端子
【図１】
0005539128.tif 000002
【図２】
0005539128.tif 000003
【図３】
0005539128.tif 000004